(57)【要約】【課題】取り出される棒状物の量を細かく設定することができ、また収納した棒状部材の残量が減ってきても意図した量で取り出すことができる棒状物収納容器を提供する。【解決手段】本発明の棒状物収納容器は、収納空間Ｓに棒状物Ｐを収める容器本体１と、収納空間Ｓに通じる第１貫通孔２ｈを有し周壁１ｂに保持される内側蓋２と、第１貫通孔２ｈに通じる第２貫通孔３ｈを有し内側蓋２に回転可能に保持される外側蓋３と、を備え、第１貫通孔２ｈ及び第２貫通孔３ｈは、第１貫通孔２ｈの外周縁部２ｊ及び第２貫通孔３ｈの外周縁部３ｊがともに周壁１ｂの内周縁部に沿って延在する長孔であって、第２貫通孔３ｈは、外側蓋３を回転させた際、第１貫通孔２ｈとの重なり量に応じて収納空間Ｓと外界とを通じさせる開口の面積を可変させるとともに第１貫通孔２ｈからずれることで収納空間Ｓを閉鎖する。【選択図】図１
2019099181.tif 000002
【特許請求の範囲】
【請求項１】
底壁に連結する周壁を有し、該底壁と該周壁で取り囲まれる収納空間に棒状物を収める容器本体と、
前記周壁の上部に設けられる天壁、及び該天壁を貫いて前記収納空間に通じる第１貫通孔を有し、該周壁に保持される内側蓋と、
該天壁の上部に設けられる頂壁、及び該頂壁を貫いて前記第１貫通孔に通じる第２貫通孔を有し、前記内側蓋に回転可能に保持される外側蓋と、を備える棒状物収納容器であって、
前記第１貫通孔及び前記第２貫通孔は、該第１貫通孔の外周縁部及び該第２貫通孔の外周縁部がともに前記周壁の内周縁部に沿って延在する長孔であって、
前記第２貫通孔は、前記外側蓋を回転させた際、前記第１貫通孔との重なり量に応じて前記収納空間と外界とを通じさせる開口の面積を可変させるとともに該第１貫通孔からずれることで該収納空間を閉鎖するものである棒状物収納容器。
【請求項２】
前記周壁は、前記第１貫通孔の近傍において前記収納空間に向かって突出し、前記容器本体を傾倒姿勢に変位させて前記棒状物を前記収納空間から取り出す際、該棒状物を該第１貫通孔に向けて案内する内向き突出部を有する請求項１に記載の棒状物収納容器。
【請求項３】
前記内向き突出部は、前記第１貫通孔を挟んで一対設けられる請求項２に記載の棒状物収納容器。
【請求項４】
前記内側蓋及び前記外側蓋の何れか一方は複数の凸部を有し、該内側蓋及び該外側蓋の何れか他方は、該外側蓋を回転した際に該凸部の何れか一つを乗り越えることで該外側蓋が所定の回転位置に至ったことを認知させる突起を有する請求項１〜３の何れか一項に記載の棒状物収納容器。
【請求項５】
前記内側蓋は、前記天壁から上方に向けて突出する中央環状壁を有し、前記外側蓋は、前記頂壁を貫いて該中央環状壁を挿入させる中央貫通孔を有し、前記中央環状壁の外縁部及び前記中央貫通孔の内縁部の何れか一方に前記凸部を備えるとともに、該中央環状壁の外縁部及び該中央貫通孔の内縁部の何れか他方に前記突起を備える請求項４に記載の棒状物収納容器。
【請求項６】
前記内側蓋及び前記外側蓋の何れか一方は複数の係合部を有し、該内側蓋及び該外側蓋の何れか他方は、弾性片を介して設けられ該外側蓋を回転した際に該係合部の何れか一つに嵌まり込んで該外側蓋の回転位置を認知させる被係合部を有する請求項１〜３の何れか一項に記載の棒状物収納容器。
【請求項７】
前記内側蓋は、前記天壁から上方に向けて突出する中央環状壁の外縁部に前記係合部を有するものであり、
前記外側蓋は、中間部に前記被係合部を有する前記弾性片に対し、該弾性片の両端部を前記頂壁に連結させるものである請求項６に記載の棒状物収納容器。
【発明の詳細な説明】
【技術分野】
【０００１】
本発明は、例えば乾麺（スパゲッティやそばなど）のような棒状物を収納する棒状物収納容器に関し、特に所定の量を計量しながら取り出すことができる容器に関する。
【背景技術】
【０００２】
調理前のスパゲッティやそばの如き棒状をなす内容物を収納する容器としては、例えば特許文献１や特許文献２に示されるようなものが知られている。
【０００３】
このような棒状物を収納する棒状物収納容器においては、特許文献１の図５や特許文献２の図１に示されているような貫通孔を設けることによって、容器に収納した棒状物をこの貫通孔から取り出すことができる。ここで、このような貫通孔は、これらの文献に図示されているように円形状に形成されることが一般的である。また、貫通孔の開口面積に応じて取り出される棒状物の量が決まるため、これらの文献に示されているように、開口面積の異なる貫通孔を複数設けておき、意図した量に対応する貫通孔から棒状物を取り出すことができるように構成することも知られている。
【先行技術文献】
【特許文献】
【０００４】
【特許文献１】特開２００６−１８２４４６号公報
【特許文献２】特開２００１−３１１６２号公報
【発明の概要】
【発明が解決しようとする課題】
【０００５】
ところで、取り出される棒状物の量を細かく設定しようとすると、それに応じて貫通孔の数も増やさなければならないことになる。しかし、設けることができる貫通孔の数は容器の大きさによって決まるため、これを増やすにも限界がある。また、棒状物を取り出すにあたって、図６（ａ）に示すように貫通孔が下方に位置するようにして容器を傾けると、収納されている棒状物は傾倒した容器の下方に集まって、貫通孔が棒状物で満たされるような状態になる。しかし、棒状物の量が少なくなってくると貫通孔の上部は棒状物で満たされずに隙間ができるため、意図した量で棒状物を取り出すことができなくなる。特に、図６（ａ）のように貫通孔の形状を円形とする場合においては、棒状物の残量がそれほど減っていなくても貫通孔の上部に隙間ができてしまうという問題を抱えていた。
【０００６】
本発明はこのような問題点を解決することを課題とするものであり、取り出される棒状物の量を細かく設定することが可能であり、また収納した棒状部材の残量が減ってきてもこれを意図した量で取り出すことができる棒状物収納容器を提供することを目的とする。
【課題を解決するための手段】
【０００７】
本発明は、底壁に連結する周壁を有し、該底壁と該周壁で取り囲まれる収納空間に棒状物を収める容器本体と、
前記周壁の上部に設けられる天壁、及び該天壁を貫いて前記収納空間に通じる第１貫通孔を有し、該周壁に保持される内側蓋と、
該天壁の上部に設けられる頂壁、及び該頂壁を貫いて前記第１貫通孔に通じる第２貫通孔を有し、前記内側蓋に回転可能に保持される外側蓋と、を備える棒状物収納容器であって、
前記第１貫通孔及び前記第２貫通孔は、該第１貫通孔の外周縁部及び該第２貫通孔の外周縁部がともに前記周壁の内周縁部に沿って延在する長孔であって、
前記第２貫通孔は、前記外側蓋を回転させた際、前記第１貫通孔との重なり量に応じて前記収納空間と外界とを通じさせる開口の面積を可変させるとともに該第１貫通孔からずれることで該収納空間を閉鎖するものである棒状物収納容器である。
【０００８】
前記周壁は、前記第１貫通孔の近傍において前記収納空間に向かって突出し、前記容器本体を傾倒姿勢に変位させて前記棒状物を前記収納空間から取り出す際、該棒状物を該第１貫通孔に向けて案内する内向き突出部を有することが好ましい。
【０００９】
前記内向き突出部は、前記第１貫通孔を挟んで一対設けられることが好ましい。
【００１０】
前記内側蓋及び前記外側蓋の何れか一方は複数の凸部を有し、該内側蓋及び該外側蓋の何れか他方は、該外側蓋を回転した際に該凸部の何れか一つを乗り越えることで該外側蓋が所定の回転位置に至ったことを認知させる突起を有することが好ましい。
【００１１】
前記内側蓋は、前記天壁から上方に向けて突出する中央環状壁を有し、前記外側蓋は、前記頂壁を貫いて該中央環状壁を挿入させる中央貫通孔を有し、前記中央環状壁の外縁部及び前記中央貫通孔の内縁部の何れか一方に前記凸部を備えるとともに、該中央環状壁の外縁部及び該中央貫通孔の内縁部の何れか他方に前記突起を備えることが好ましい。
【００１２】
前記内側蓋及び前記外側蓋の何れか一方は複数の係合部を有し、該内側蓋及び該外側蓋の何れか他方は、弾性片を介して設けられ該外側蓋を回転した際に該係合部の何れか一つに嵌まり込んで該外側蓋の回転位置を認知させる被係合部を有することが好ましい。
【００１３】
前記内側蓋は、前記天壁から上方に向けて突出する中央環状壁の外縁部に前記係合部を有するものであり、
前記外側蓋は、中間部に前記被係合部を有する前記弾性片に対し、該弾性片の両端部を前記頂壁に連結させるものであることが好ましい。
【発明の効果】
【００１４】
本発明における棒状物収納容器では、収納した棒状物を取り出すための開口が、内側蓋に設けた第１貫通孔と外側蓋に設けた第２貫通孔との重なり量に応じて変わるため、外側蓋の回転に応じて取り出される棒状物の量を細かく設定することができる。
【００１５】
また周壁に、第１貫通孔の近傍において前記収納空間に向かって突出する内向き突出部を設ける場合は、この内向き突出部によって棒状物を第１貫通孔に向けて案内することができるため、棒状物が取り出しやすくなる。特に、第１貫通孔を挟んで内向き突出部を一対設ける場合は、棒状物は両側から規制されつつ第１貫通孔へ向かって移動するため、特に棒状部材が取り出しやすくなる。
【００１６】
内側蓋及び外側蓋の何れか一方は複数の凸部を有するものであり、また内側蓋及び外側蓋の何れか他方が、外側蓋を回転した際に凸部の何れか一つを乗り越える突起を有する場合は、突起が凸部を乗り越える際のクリック感や音などによって外側蓋が所定の回転位置に至ったことを知ることができる。従って、例えば取り出される棒状物の量に応じて凸部を複数設けておくことによって、意図した量で棒状物を取り出すことができる。
【００１７】
このようなクリック感や音によって外側蓋が所定の回転位置に至ったことを知らせる機能は、内側蓋及び外側蓋の何れか一方に複数の係合部を設け、内側蓋及び外側蓋の何れか他方に、弾性片を介して設けられ外側蓋を回転した際に係合部の何れか一つに嵌まり込む被係合部を設ける場合でも実現可能である。
【図面の簡単な説明】
【００１８】
【図１】本発明に従う棒状物収納容器の一実施形態を示す、（ａ）は平面図であり、（ｂ）は（ａ）に示すＡ−Ａに沿う断面図である。
【図２】（ａ）は、図１（ａ）に示した矢印Ｂに沿う矢視図であり、（ｂ）は、図１（ａ）に示したＣ−Ｃに沿う断面図である。
【図３】図１に示す外側蓋を回転させた状態を示す図であって、（ａ）は棒状物を最大量で取り出すことができる状態であり、（ｂ）は棒状物を少量取り出すことができる状態であり、（ｃ）は収納空間を閉鎖した状態である。
【図４】本発明に従う棒状物収納容器の他の実施形態を示す、（ａ）は平面図であり、（ｂ）は（ａ）に示すＤ−Ｄに沿う断面図である。
【図５】図４に示す外側蓋を回転させた状態を示す図であって、（ａ）は棒状物を最大量で取り出すことができる状態であり、（ｂ）は棒状物を少量取り出すことができる状態であり、（ｃ）は収納空間を閉鎖した状態である。
【図６】棒状物を意図した量で取り出そうとする際、棒状物が取り出される開口の形状が異なれば同じ開口面積であっても必要となる収納空間の棒状物の量が異なる点を説明する図であって、（ａ）は開口が円形状の場合であり、（ｂ）は開口が長孔状の場合である。
【発明を実施するための形態】
【００１９】
以下、図面を参照しながら本発明に従う棒状物収納容器の一実施形態について説明する。なお、本明細書等における「上」「下」の位置関係は、図１（ｂ）に示すように、容器本体（符号１）に対して外側蓋（符号３）が位置する側が「上」であり、「下」はその逆側である。
【００２０】
図１に示す棒状物収納容器は、容器本体１、内側蓋２、外側蓋３で構成されている。
【００２１】
容器本体１は、円板状をなす底部１ａと、底部１ａの外縁から上方に向かって立ち上がる概略円筒状の周壁１ｂと、周壁１ｂの上方外周面に設けられた雄ねじ部１ｃとを備えていて、底部１ａと周壁１ｂで取り囲まれる空間（収納空間Ｓ）には、棒状物Ｐを収納することができる。また周壁１ｂには、収納空間Ｓに向かって突出するように形作られた内向き突出部１ｄが設けられている。この内向き突出部１ｄは、後述する第１貫通孔（符号２ｈ）の近傍に設けられている。本実施形態においては、図１（ａ）に示すように、第１貫通孔２ｈを挟むようにして一対設けている。
【００２２】
内側蓋２は、雄ねじ部１ｃを取り囲むようにして設けられる円筒状の外周壁２ａを備えている。外周壁２ａの内周面には、雄ねじ部１ｃに対応する雌ねじ部２ｂが設けられていて、雄ねじ部１ｃに対して雌ねじ部２ｂをねじ込むことによって、内側蓋２を容器本体１に保持することができる。なお、内側蓋２を容器本体１に保持するにあたっては、このような組み合わせに限定されるものではなく、例えばアンダーカットによるものでもよい。そして外周壁２ａの上部には、図１におけるＸ１拡大図に示すように外向き爪部２ｃが設けられている。また外周壁２ａの径方向内側には、周壁１ｂの上方に位置する天壁２ｄが設けられていて、天壁２ｄの径方向内側には、下方に向かって段を形成する段差部２ｅが設けられている。そして段差部２ｅには、上方へ向けて突出するとともに容器本体１の中心軸Ｏと中心を同じくする円環状の中央環状壁２ｆが設けられていて、中央環状壁２ｆの上部には、円板状になる中央天壁２ｇが設けられている。
【００２３】
天壁２ｄには、これを貫いて収納空間Ｓに通じる第１貫通孔２ｈが設けられている。第１貫通孔２ｈは長孔状であって、容器本体１に設けた２つの内向き突出部１ｄの間に位置している。ここで、第１貫通孔２ｈの外周縁部２ｊは、周壁１ｂの内周縁部に沿って延在している。
【００２４】
また中央環状壁２ｆの外縁部には、図１におけるＸ２拡大図に示すように、径方向外側に向けて突出する突起２ｋが設けられている。
【００２５】
外側蓋３は、外向き爪部２ｃを取り囲むとともに、外周面に指掛かりとなる複数の凸を設けた第２外周壁３ａを備えている。図１におけるＸ１拡大図に示すように、第２外周壁３ａの内周面には、外向き爪部２ｃに係止される突出部３ｂが設けられている。これにより外側蓋３は、内側蓋２に抜け止め保持されつつ、内側蓋２に対して回転することができる。また第２外周壁３ａの径方向内側には、天壁２ｄの上方に位置する頂壁３ｃが設けられていて、頂壁３ｃには、容器本体１の中心軸Ｏと中心を同じくする円形状の中央貫通孔３ｄが設けられている。なお、中央貫通孔３ｄには中央環状壁２ｆが挿入される。
【００２６】
中央貫通孔３ｄの内縁部には、頂壁３ｃの下面から下向きに突出する下側環状壁３ｅが設けられている。また下側環状壁３ｅには、図１におけるＸ２、Ｘ３拡大図に示すように、径方向内側に向けて突出する板状のストッパー３ｆが設けられている。ストッパー３ｆは、外側蓋３を所定量回転させると突起２ｋが突き当たって外側蓋３の回転を停止させる部位である。更に下側環状壁３ｅには、図１におけるＸ４、Ｘ５拡大図、及び図２におけるＸ６拡大図に示すように、平面視において半円状をなすとともにストッパー３ｆよりも径方向内側に向けての突出量が小さい凸部３ｇ１〜３ｇ４が設けられている。ここで、凸部３ｇ１と３ｇ２の相互間、及び凸部３ｇ３と３ｇ４の相互間には、外側蓋３を回転させた際に突起２ｋが収まる隙間が設けられている。なお、Ｘ４、Ｘ５拡大図に示した突起２ｋは、Ｘ３拡大図に示す位置から外側蓋３を回転させ、それに伴ってＸ４、Ｘ５拡大図に示す位置に移動した後の状態を示している。
【００２７】
また頂壁３ｃには、これを貫く第２貫通孔３ｈが設けられている。第２貫通孔３ｈは、第１貫通孔２ｈと略同形状であって、第２貫通孔３ｈの外周縁部３ｊは、第１貫通孔２ｈの外周縁部２ｊと同様に周壁１ｂの内周縁部に沿って延在している。
【００２８】
このような形態になる棒状物収納容器においては、外側蓋３を回転させると第１貫通孔２ｈと第２貫通孔３ｈとの重なり量に応じて、収納空間Ｓから棒状物Ｐを取り出す開口の面積を変えることができる。例えば図３（ａ）に示すように、第１貫通孔２ｈと第２貫通孔３ｈの位置が略一致するように外側蓋３を回転させると、棒状物Ｐを最大量で取り出すことができる。なお、第１貫通孔２ｈと第２貫通孔３ｈが略一致する位置では、図１のＸ５拡大図に示すように、外側蓋３の回転に伴って凸部３ｇ３、３ｇ４も回転移動し、その際に凸部３ｇ３、３ｇ４の何れかが突起２ｋを乗り越えて、突起２ｋが凸部３ｇ３、３ｇ４の相互間に位置するようにしている。このため、凸部３ｇ３、３ｇ４が突起２ｋを乗り越える際のクリック感や音などによって、この位置に達したことを簡単に認識することができる。
【００２９】
また、本実施形態の第１貫通孔２ｈと第２貫通孔３ｈは、それぞれの外周縁部２ｊ、３ｊが周壁１ｂの内周縁部に沿って延在しているため、棒状物Ｐを取り出すべく、第１貫通孔２ｈと第２貫通孔３ｈが下方に位置するようにして容器本体１を傾倒させれば、傾けた周壁１ｂの下方に貯まった棒状物Ｐを引っ掛かり無くスムーズに取り出すことができる。本実施形態においては、内向き突出部１ｄが棒状物Ｐを第１貫通孔２ｈ及び第２貫通孔３ｈに向けて案内するため、よりスムーズに棒状物Ｐを取り出すことができる。また図６（ｂ）は、第１貫通孔２ｈと第２貫通孔３ｈが下方に位置するようにして容器本体１を傾倒させた状態を示した図であるが、図６（ａ）に示す如き円形状の開口を設けた従来の棒状物収納容器（開口面積は図６（ｂ）と同じ）と比較して、棒状物Ｐの残量がより少ない状態でも、第１貫通孔２ｈと第２貫通孔３ｈは棒状物Ｐで満たされることになるすなわち、本実施形態の棒状物収納容器によれば、収納空間Ｓにおける棒状物Ｐの残量が少なくなっても、これを意図した量で取り出すことができる。
【００３０】
また取り出す棒状物Ｐが少量の場合は、図３（ｂ）に示すように、第１貫通孔２ｈと第２貫通孔３ｈの重なり量が少なくなる位置まで外側蓋３を回転させればよい。なお、図３（ｂ）の状態にあっては、図１のＸ４拡大図に示すように、外側蓋３の回転に伴って凸部３ｇ１、３ｇ２も回転移動し、その際に凸部３ｇ１、３ｇ２の何れかが突起２ｋを乗り越えて、突起２ｋが凸部３ｇ１、３ｇ２の相互間に位置するようにしている。すなわち、このときにもクリック感や音などが生じるため、図３（ｂ）に示す位置に達したことを簡単に認識することができる。
【００３１】
そして棒状物Ｐを保管する時のように、収納空間Ｓを閉鎖する場合には、図３（ｃ）に示すように第１貫通孔２ｈと第２貫通孔３ｈが完全にずれる位置まで外側蓋３を回転させればよい。なおこの位置では、図１のＸ３拡大図に示すように、突起２ｋがストッパー３ｆに突き当たるため、外側蓋３の回転を停止させることができる。すなわち、外側蓋３をやや強めに操作した場合でも回しすぎることがないため、収納空間Ｓが意図せずに開放した状態になる不具合を防止することができる。なお、ストッパー３ｆに替えて上述した凸部３ｇ１、３ｇ２の如き凸部を設けることによって、外側蓋３の回転が妨げられないようにしつつ収納空間Ｓを閉鎖する位置でもクリック感や音などが生じるように構成してもよい。
【００３２】
次に、本発明に従う棒状物収納容器の他の実施形態について、図４、図５を参照しながら説明する。この実施形態では、先に説明した容器本体１を使用するとともに、内側蓋４と外側蓋５を使用している。
【００３３】
内側蓋４は、上述した外周壁２ａ、雌ねじ部２ｂ、外向き爪部２ｃと同様の構成になる外周壁４ａ、雌ねじ部４ｂ、外向き爪部４ｃを備えている。また、外向き爪部４ｃの径方向内側には天壁４ｄが設けられていて、天壁４ｄには、容器本体１の中心軸Ｏと中心を同じくする円環状の中央環状壁４ｆと、中央環状壁４ｆの上部に設けられる円板状の中央天壁４ｇが設けられている。また天壁４ｄには、上述した第１貫通孔２ｈと同様の形状になる第１貫通孔４ｈが設けられていて、第１貫通孔４ｈの外周縁部４ｊも周壁１ｂの内周縁部に沿って延在している。
【００３４】
また中央環状壁４ｆには、図４（ａ）に示すように、径方向内側に向けて凹をなす半円状の係合凹部４ｍ１〜４ｍ３（係合部）が合計３つ設けられている。
【００３５】
外側蓋５は、上述した第２外周壁３ａ、突出部３ｂと同様の構成になる第２外周壁５ａ、突出部５ｂを備えている。また第２外周壁５ａの径方向内側には、天壁４ｄの上方に位置する頂壁５ｃが設けられていて、頂壁５ｃには、容器本体１の中心軸Ｏと中心を同じくする円形状の中央貫通孔５ｄが設けられている。また頂壁５ｃには、上述した第２貫通孔３ｈと同様の形状になる第２貫通孔５ｈが設けられていて、第２貫通孔５ｈの外周縁部５ｊも周壁１ｂの内周縁部に沿って延在している。
【００３６】
更に頂壁５ｃには、三日月状の孔５ｋを設けることによって形成される弾性片５ｍと、弾性片５ｍの中間部から径方向内側に突出し、係合凹部４ｍ１〜４ｍ３に適合する半円状になる係合凸部５ｎ（被係合部）が設けられている。ここで弾性片５ｍは、その両端部が頂壁５ｃに連結する両側支持タイプの弾性片である。なお弾性片５ｍは、何れかの端部のみが頂壁５ｃに連結する片側支持タイプの弾性片であってもよい。
【００３７】
このような形態になる棒状物収納容器においては、図５（ａ）に示すように、第１貫通孔４ｈと第２貫通孔５ｈの位置が略一致するように回転させると、棒状物Ｐを最大量で取り出すことができる。なおこの状態では、係合凸部５ｎが係合凹部４ｍ３に嵌まり込むようにしている。すなわち、外側蓋３を回転させた際、係合凸部５ｎが係合凹部４ｍ１〜４ｍ３から外れた状態では弾性片５ｍは径方向外側に弾性変位しているものの、図５（ａ）に示す状態では、弾性片５ｍが復元して係合凸部５ｎが係合凹部４ｍ３に嵌まり込み、このときにクリック感や音が生じるため、この位置に達したことを簡単に認識することができる。
【００３８】
また、取り出す棒状物Ｐが少量の場合は、図５（ｂ）に示す状態まで外側蓋５を回転させればよく、この状態では係合凸部５ｎが係合凹部４ｍ２に嵌まり込むため、このときにもクリック感や音が生じることになる。よって、図５（ｂ）に示す状態まで簡単に外側蓋５を回転させることができる。
【００３９】
そして、図５（ｃ）に示すように第１貫通孔４ｈと第２貫通孔５ｈが完全にずれる位置では、係合凸部５ｎが係合凹部４ｍ１に嵌まり込むため、収納空間Ｓが閉鎖されたことを簡単に認識することができる。なお、本実施形態においても、上述した実施形態と同様に、図５（ｃ）に示す位置で回り止めされるように構成してもよい。
【００４０】
以上、本発明について具体的な実施形態を示しながら説明したが、本発明に従う棒状物収納容器は上述した実施形態に限られるものではなく、特許請求の範囲に従う範疇で種々の変更を加えたものも含まれる。例えば、上述した２つの実施形態間で構成を相互に入れ替えてもよい。また、図１〜図３に示すものにおいては、内側蓋２に突起２ｋを設け、外側蓋３に凸部３ｇ１〜３ｇ４を設けたが、相互に入れ替えて、凸部３ｇ１〜３ｇ４の如きものを内側蓋２に設け、突起２ｋの如きものを外側蓋３に設けてもよい。また、図４〜図５に示すものにおいては、内側蓋４に対して係合部としての係合凹部４ｍ１〜４ｍ３を設け、外側蓋５に対して被係合部としての係合凸部５ｎを設けたが、係合凸部５ｎの如きものを内側蓋４に設け、係合凹部４ｍ１〜４ｍ３の如きものを外側蓋５に設けてもよい。
【符号の説明】
【００４１】
１：容器本体
１ａ：底部
１ｂ：周壁
１ｃ：雄ねじ部
１ｄ：内向き突出部
２：内側蓋
２ａ：外周壁
２ｂ：雌ねじ部
２ｃ：外向き爪部
２ｄ：天壁
２ｅ：段差部
２ｆ：中央環状壁
２ｇ：中央天壁
２ｈ：第１貫通孔
２ｊ：第１貫通孔の外周縁部
２ｋ：突起
３：外側蓋
３ａ：第２外周壁
３ｂ：突出部
３ｃ：頂壁
３ｄ：中央貫通孔
３ｅ：下側環状壁
３ｆ：ストッパー
３ｇ１〜３ｇ４：凸部
３ｈ：第２貫通孔
３ｊ：第２貫通孔の外周縁部
４：内側蓋
４ａ：外周壁
４ｂ：雌ねじ部
４ｃ：外向き爪部
４ｄ：天壁
４ｆ：中央環状壁
４ｇ：中央天壁
４ｈ：第１貫通孔
４ｊ：第１貫通孔の外周縁部
４ｍ１〜４ｍ３：係合凹部
５：外側蓋
５ａ：第２外周壁
５ｂ：突出部
５ｃ：頂壁
５ｄ：中央貫通孔
５ｈ：第２貫通孔
５ｊ：第２貫通孔の外周縁部
５ｋ：三日月状の孔
５ｍ：弾性片
５ｎ：係合凸部
Ｏ：容器本体の中心軸
Ｐ：棒状物
Ｓ：収納空間
【図１】
2019099181.tif 000003
【図２】
2019099181.tif 000004
【図３】
2019099181.tif 000005
【図４】
2019099181.tif 000006
【図５】
2019099181.tif 000007
【図６】
2019099181.tif 000008